(57)【特許請求の範囲】
【請求項１】
室内の床下地上に床暖房用の温水マットが配設されて、その温水マットにガス給湯機からの温水が供給される床暖房構造であって、
前記温水マットに隣接して、その温水マットと別体の周辺マットが、一方の壁から他方の壁に沿って配設され、前記一方の壁内のガス管に接続されたガス給湯機用のガス管が、その一方の壁と前記周辺マットの側辺を貫通し、前記周辺マット内を通って前記他方の壁まで配管され、前記周辺マットの側辺と他方の壁を貫通して、その他方の壁の外側に配設された前記ガス給湯機に接続されている床暖房構造。
【請求項２】
室内の床下地上に床暖房用の温水マットが配設されて、その温水マットにガス給湯機からの温水が供給される床暖房構造であって、
前記温水マットに隣接して、配管用ケースが、一方の壁から他方の壁に沿って配設され、前記一方の壁内のガス管に接続されたガス給湯機用のガス管が、その一方の壁と前記配管用ケースの側辺を貫通し、前記配管用ケース内を通って前記他方の壁まで配管され、前記配管用ケースの側辺と他方の壁を貫通して、その他方の壁の外側に配設された前記ガス給湯機に接続されている床暖房構造。
【請求項３】
前記ガス給湯機用のガス管が、フレキシブル管であり、そのフレキシブル管に長尺状の防護部材が外嵌されている請求項１または２に記載の床暖房構造。
【請求項４】
前記防護部材が、金属を圧縮加工して形成された金属製の圧縮加工品である請求項３に記載の床暖房構造。
【発明の詳細な説明】
【０００１】
【発明の属する技術分野】
本発明は、室内の床下地上に床暖房用の温水マットが配設されて、その温水マットにガス給湯機からの温水が供給される床暖房構造に関し、特に、マンションなどの集合住宅において、既設のフローリングを床暖房に改造する際に最適な床暖房構造に関する。
【０００２】
【従来の技術】
例えば、マンションなどの集合住宅において、既設のフローリングを温水マット式の床暖房に改造する際、通常、その温水マットに温水を供給するためのガス給湯機は、室外のバルコニーやベランダなどに設置される。
そして、室内にある既設のガス管から増設用のガス管を分岐接続して室外のガス給湯機に接続する場合、増設用のガス管を壁面内に配管しようとすると、どうしても配管工事が大掛かりとなり、工事費も高くなるため、従来では、その増設用のガス管を室内側の壁面などに沿って配管していた。
【０００３】
【発明が解決しようとする課題】
したがって、上述した従来の構造では、増設用のガス管が室内に露出することになり、外観的に好ましくないばかりか、他物との当接によってガス管が損傷する可能性もある。
【０００４】
本発明は、このような従来の問題点に着目したもので、その目的は、ガス管を配管するにあたり、大掛かりな工事を必要とせず、しかも、ガス管が室内に露出するのを極力回避して配管することができ、ガス管の損傷も抑制することのできる床暖房構造を提供することにある。
【０００５】
【課題を解決するための手段】
請求項１の発明の特徴構成は、図１〜図５に例示するごとく、室Ｒ内の床下地１上に床暖房用の温水マットＭが配設されて、その温水マットＭにガス給湯機９からの温水が供給される床暖房構造であって、前記温水マットＭに隣接して、その温水マットＭと別体の周辺マットＤが、一方の壁Ｗ１から他方の壁Ｗ２に沿って配設され、前記一方の壁Ｗ１内のガス管Ｐ１に接続されたガス給湯機用のガス管Ｐが、その一方の壁Ｗ１と前記周辺マットＤの側辺を貫通し、前記周辺マットＤ内を通って前記他方の壁Ｗ２まで配管され、前記周辺マットＤの側辺と他方の壁Ｗ２を貫通して、その他方の壁Ｗ２の外側に配設された前記ガス給湯機９に接続されているところにある。
【０００６】
請求項１の発明の特徴構成によれば、室内の床下地上に配設される床暖房用の温水マットに隣接して、その温水マットと別体の周辺マットが、一方の壁から他方の壁に沿って配設され、一方の壁内のガス管に接続されたガス給湯機用のガス管が、その一方の壁と周辺マットの側辺を貫通し、周辺マット内を通って他方の壁まで配管され、周辺マットの側辺と他方の壁を貫通して、その他方の壁の外側に配設されたガス給湯機に接続されているので、温水マットの厚みを有効に利用し、かつ、室の床下地上に温水マットを配設するための寸法合わせに使用される周辺マットを有効に利用してガス給湯機用のガス管を要領よく配管することができる。
特に、マンションなどの集合住宅では、ガス給湯機をバルコニーやベランダなどに設置し、室内にある既設のガス管から増設用のガス管を分岐接続してガス給湯機に接続することが多く、そのような場合には、床の改造工事に付帯してガス給湯機用のガス管の配管作業を一挙に行うことができる。
そして、そのガス給湯機用のガス管は、室の辺部、つまり、一方の壁から他方の壁に沿って配管されるので、配管されたガス管上を居住者などが頻繁に歩くことも少なく、ガス給湯機用のガス管に対して上方から荷重が繰り返し作用することが抑制され、特に、室の壁に沿って家具などを配置すれば、ガス管の保護ともなって、ガス給湯機用のガス管への不必要な荷重の作用が防止される。
したがって、ガス給湯機用のガス管を室の壁面内に配管するのに比べて比較的簡単な工事で、工事費も安くて済み、しかも、ガス給湯機用のガス管が室内へ露出することも少なく、ガス給湯機用のガス管の損傷も抑制することができる。
【０００７】
請求項２の発明の特徴構成は、図６に例示するごとく、室Ｒ内の床下地１上に床暖房用の温水マットＭが配設されて、その温水マットＭにガス給湯機９からの温水が供給される床暖房構造であって、前記温水マットＭに隣接して、配管用ケース１８が、一方の壁Ｗ１から他方の壁Ｗ２に沿って配設され、前記一方の壁Ｗ１内のガス管Ｐ１に接続されたガス給湯機用のガス管Ｐが、その一方の壁Ｗ１と前記配管用ケース１８の側辺を貫通し、前記配管用ケース１８内を通って前記他方の壁Ｗ２まで配管され、前記配管用ケース１８の側辺と他方の壁Ｗ２を貫通して、その他方の壁Ｗ２の外側に配設された前記ガス給湯機９に接続されているところにある。
【０００８】
請求項２の発明の特徴構成によれば、室内の床下地上に配設される床暖房用の温水マットに隣接して、配管用ケースが、一方の壁から他方の壁に沿って配設され、一方の壁内のガス管に接続されたガス給湯機用のガス管が、その一方の壁と配管用ケースの側辺を貫通し、配管用ケース内を通って他方の壁まで配管され、配管用ケースの側辺と他方の壁を貫通して、その他方の壁の外側に配設されたガス給湯機に接続されているので、温水マットの厚みを有効に利用して、配管専用のケース内にガス給湯機用のガス管を要領よく配管することができる。
したがって、この場合にも、ガス給湯機用のガス管を室の壁面内に配管するのに比べて比較的簡単な工事で、工事費も安くて済み、しかも、ガス給湯機用のガス管が室内へ露出することも少なく、ガス給湯機用のガス管の損傷も抑制することができる。
【０００９】
請求項３の発明の特徴構成は、図２〜図６に例示するごとく、前記ガス給湯機用のガス管Ｐが、フレキシブル管であり、そのフレキシブル管Ｐに長尺状の防護部材１２が外嵌されているところにある。
【００１０】
請求項３の発明の特徴構成によれば、ガス給湯機用のガス管が、フレキシブル管であるから、必要に応じて自由に湾曲させることができ、たとえ複雑な配管経路であっても、ガス給湯機用のガス管の配管作業を容易に行うことができる。
その反面、フレキシブル管は、通常、巻き取って保管されたり搬送されるために巻き癖が付いており、特に、そのフレキシブル管からなるガス給湯機用のガス管を周辺マット内に挿通するような場合には、巻き癖が邪魔になってガス給湯機用のガス管の挿入が困難になる可能性がある。
しかし、そのフレキシブル管には長尺状の防護部材が外嵌されているので、防護部材と一緒にフレキシブル管を挿通することにより、たとえ巻き癖のあるフレキシブル管であっても容易に挿入することができ、しかも、その防護部材は、上方からの荷重に対してガス給湯機用のガス管を防護するとともに、画鋲や針がガス給湯機用のガス管に刺さるのを防護することができる。
【００１１】
請求項４の発明の特徴構成は、前記防護部材１２が、金属を圧縮加工して形成された金属製の圧縮加工品であるところにある。
【００１２】
請求項４の発明の特徴構成によれば、防護部材が、金属を圧縮加工して形成された金属製の圧縮加工品であるから、防護部材の厚みを薄くして、ガス給湯機用のガス管と共に周辺マット内や配管用ケース内に配管しても、上方からの荷重や画鋲などからガス給湯機用のガス管を防護するに足る十分な耐力と硬さを得ることができる。
【００１５】
なお、上述のように、図面との対照を便利にするために符号を記したが、該記入により本発明は添付図面の構成に限定されるものではない。
【００１６】
【発明の実施の形態】
本発明による床暖房構造につき、実施の形態を図面に基づいて説明する。
この床暖房構造は、例えば、マンションなどの集合住宅において、既設のフローリングを床暖房に改造する際に採用されるもので、図１に示すように、改造の対象となる室Ｒにおいて、その床下地としての床躯体１の上には、既設のフローリング２が敷設されている。
その既設のフローシング２上には、図２にも示すように、平面形状が矩形の床暖房用の温水マット本体３が、室Ｒの辺部を除く中央部分に敷設されて固定され、室Ｒの４つの辺部には、形状の異なる複数種類の周辺マット本体４、例えば、平面形状が細長い矩形の直線用周辺マット本体４ａと、平面形状が正方形のコーナー用周辺マット本体４ｂが敷設されて固定されている。
【００１７】
床暖房用の温水マット本体３は、図３に示すように、主として硬質の発泡スチロールにより形成され、発泡スチロールの下面にはゴムマット５と繊維材からなる防音マット６が接着され、上面にはラミネートされたアルミ箔７が接着されて構成され、かつ、発泡スチロールの内部には、暖房用の温水が通流する温水用樹脂管８が適宜配管されて収納されている。
各周辺マット本体４ａ，４ｂも、主として硬質の発泡スチロールにより形成されていて、温水マット本体３と同様に、各周辺マット本体４ａ，４ｂの下面にはゴムマット５と防音マット６が、上面にはラミネートされたアルミ箔７が接着されて構成され、これら周辺マット本体４ａ，４ｂと温水マット本体３とは、その上下方向における厚みｔがほぼ同じ厚みに構成されていて、特定の周辺マット本体４ａ，４ｂの内部には、増設用のガス管Ｐが配置されている。
つまり、温水マット本体３は、その上面に配設される床暖房用のフローリング１７と共に温水マットＭを構成し、周辺マット本体４は、その上面に配設される床暖房用のフローリング１７と共に周辺マットＤを構成するもので、その両マットＭ，Ｄの厚みＴ内に収納可能なガス管Ｐを使用して配管されている。
【００１８】
例えば、図１および図２に示すように、室Ｒに隣接するバルコニーやベランダＶに床暖房用のガス給湯機９を設置する場合であれば、室内側の一方の壁Ｗ１内に配管された既設のガス管Ｐ１用のガス栓Ｇ近傍から、ベランダＶ側の他方の壁Ｗ２に設けられた配管用貫通孔１０近傍に至るまでの周辺マット本体４ａ，４ｂの内部に増設用のガス管Ｐ、つまり、ガス給湯機用のガス管Ｐが配置されている。
増設用のガス管Ｐは、ステンレス製で可撓性を有し、かつ、表面が塩ビにより被覆されたフレキシブル管で構成され、図３および図４に示すように、直線用周辺マット本体４ａにおいては、その周辺マット本体４ａの長手方向に沿って発泡スチロール部分に設けられた直線状挿通孔１１ａ内に配置され、図５に示すように、コーナー用周辺マット本体４ｂにおいては、発泡スチロール部分に設けられたエルボ状挿通孔１１ｂ内に配置されている。
【００１９】
直線用周辺マット本体４ａの挿通孔１１ａ内に配置のガス管Ｐには、断面が半円筒形状の長尺状の防護部材としての防護カバー１２が外嵌され、コーナー用周辺マット本体４ｂの挿通孔１１ｂ内に配置のガス管Ｐ上には、ほぼ直角に湾曲した防護プレート１３が載置されて、それぞれガス管Ｐを防護するように構成されている。
これら防護カバー１２と防護プレート１３は、厚さが１／４程度になるまで金属板を圧縮加工して形成した圧縮加工品、例えば、厚さ１．２ｍｍのステンレス鋼を０．３ｍｍ程度にまで圧縮加工した金属製の圧縮加工品で構成され、そのため、防護カバー１２をガス管Ｐに外嵌したり、防護プレート１３をガス管Ｐ上に載置して、ガス管Ｐと共に周辺マット本体４ａ，４ｂの厚みｔ内に位置させることができる程度に薄くしても、ガス管Ｐを防護するに十分な耐力と硬さを備えている。
【００２０】
つぎに、既設のフローリングを床暖房に改造する際の施工手順について説明するが、それは単なる一例であって、実際の施工に際しては、施工手順の一部が相前後することはあり得る。
まず、室内側の壁Ｗ１内に配管された既設のガス管Ｐ１に対して増設用のガス管Ｐを分岐接続するのであり、その分岐接続は、ガス栓Ｇの近傍において、図２に示すように、Ｔ字状の分岐アダプタ１４を用いて施工される。
つまり、既設のガス管Ｐ１とガス栓Ｇとを接続していた既設の接続継手１５を外し、その接続継手１５とガス栓Ｇとの間に分岐アダブタ１４を接続し、その分岐アダプタ１４に対しフレキシブル管用の接続継手１６を介して増設用のガス管Ｐを接続して分岐する。
【００２１】
そして、既設のフローリング２を剥がさずに、室Ｒの四辺を除くフローリング２の中央部分上に温水マット本体３を敷設し、各温水マット本体３の樹脂管８どうしを接続して、室Ｒの四辺に沿って周辺マット本体４を敷設する。
その際、増設用のガス管Ｐが分岐されたガス栓Ｇの近傍から配管用貫通孔１０に至るまでの一方の壁Ｗ１から他方の壁Ｗ２に沿って敷設する周辺マット本体４については、増設用のガス管Ｐを挿通するための挿通孔１１ａ，１１ｂを有する周辺マット本体４を使用する。
具体的には、ガス栓Ｇの近傍と配管用貫通孔１０の近傍、ならびに、室Ｒの隅部にコーナー用周辺マット本体４ｂを使用し、その他の部分には直線用周辺マット本体４ａを使用し、かつ、各周辺マット本体４ａ，４ｂの挿通孔１１ａ，１１ｂに増設用のガス管Ｐを挿通して敷設する。つまり、既設のガス管Ｐ１に接続された増設用のガス管Ｐが、一方の壁Ｗ１と周辺マット本体４の側辺を貫通し、周辺マット本体４内を通って他方の壁Ｗ２にまで至り、周辺マット本体４の側辺と他方の壁Ｗ２を貫通するように配管する。
【００２２】
増設用のガス管Ｐはフレキシブル管であり、通常、巻き取って保管されたり搬送されるため、ガス管Ｐには巻き癖が付いている。しかし、ガス管Ｐに長尺状の防護カバー１２を外嵌し、防護カバー１２と一緒に直線用周辺マット本体４ａの挿通孔１１ａへ挿通することにより、巻き癖のあるガス管Ｐを挿通孔１１ａ内へ容易に挿通することができ、しかも、ガス管Ｐに防護カバー１２を外嵌した状態で、従来のパイプカッタを使用して、防護カバー１２とガス管Ｐとを一緒に簡単に切断することができる。
また、コーナー用周辺マット本体４ｂにおいては、図５に示すように、エルボ状挿通孔１１ｂに沿ってゴムマット５と防音マット６も切り欠かれて下面が開口されているので、コーナー用周辺マット本体４ｂのエルボ状挿通孔１１ｂに対しても、ガス管Ｐを容易に挿通することができる。
【００２３】
このようにして、既設のフローリング２上の全面に温水マット本体３と周辺マット本体４ａ，４ｂを敷設し、その後、そのマット本体３，４ａ，４ｂ上の全面にわたって床暖房用のフローリング１７を配設し、適宜手段により固定して取り付ける。そして、増設用のガス管Ｐを他方の壁Ｗ２の外側に配設されたガス給湯機９に接続し、温水マットＭの温水用樹脂管８もガス給湯機９に接続するとともに、そのガス給湯機９に図外の水道管を接続して施工を完了する。
施工完了後においては、温水マットＭに隣接する周辺マットＤ内にガス給湯機９用のガス管Ｐが収納配管されてガス給湯機９に熱源用のガスを供給し、ガス給湯機９からの温水が各温水マットＭの温水用樹脂管８を循環して床暖房を実行することになる。
【００２４】
〔別実施形態〕
（１）先の実施形態では、増設用のガス管Ｐを周辺マットＤ内に収納して配管した例を示したが、周辺マットＤを使用せずに配管することも可能であり、その一例を示したのが図６である。
この図６に示す別の実施形態では、周辺マットＤに代えて、温水マット本体３の厚みｔとほぼ同じ厚みを有する配管用ケース１８が使用され、その配管用ケース１８が、温水マットＭに隣接し、かつ、室Ｒの辺部に沿って配置されて、その配管用ケース１８内に増設用のガス管Ｐが収納されて配管されている。
【００２５】
配管用ケース１８は、上面が開口された構成で、その上面開口部を開閉する蓋体１９と共に、合成樹脂や金属材料などにより形成され、蓋体１９により上面開口部を閉鎖した状態で、その上下方向における厚みが、隣接する温水マットＭの厚みＴとほぼ等しくなるように構成されている。
この別の実施形態によれば、室Ｒの辺部に沿って配管用ケース１８の蓋体１９が露出することになるが、必要に応じて家具などを配置して隠すことも可能であり、また、配管用ケース１８の厚みを温水マット本体３の厚みｔと同一にして、フローリング１７により上面開口部を閉鎖するように構成することもでき、いずれにせよ、上面が開口されているためにガス管Ｐの補修作業などが容易となる利点がある。
また、この別の実施形態において、配管用ケース１８自体の上下方向における厚み、あるいは、蓋体１９で開口部を閉鎖した状態での上下方向における厚みを隣接する温水マットＭの厚みＴよりも厚くして、配管用ケース１８自体、あるいは、蓋体１９が温水マットＭの上面から多少突出するようにして実施することもできる。
【００２６】
（２）これまでの実施形態では、温水マットＭを構成する温水マット本体３とフローリング１７とを別体に構成し、かつ、周辺マットＤを構成する周辺マット本体４とフローリング１７も別体に構成して、温水マット本体３や周辺マット本体４を敷設した後、その上面にフローリング１７を配設した構成を示したが、温水マット本体３に対してフローリング１７が一体的に取り付けられた温水マットＭや、周辺マット本体４に対してフローリング１７が一体的に取り付けられた周辺マットＤを使用して実施することもでき、また、フローリング１７に代えて畳みを使用することもできる。つまり、先の実施形態では、通常の洋室を床暖房式の洋室に改造する際の床暖房構造を示したが、通常の和室を床暖房式の和室に改造する際にも適用することができ、さらに、洋室を床暖房式の和室に改造したり、和室を床暖房式の洋室に改造する際にも適用することができる。
さらに、室Ｒの改造時のみならず、室Ｒの新築時においても実施することができるとともに、例えば、電線や電話線などのような各種のケーブル類をガス管Ｐと一緒に周辺マットＤの挿通孔１１ａ，１１ｂや配管用ケース１８内に収納配線して実施することもできる。
なお、周辺マットＤとは、温水マットＭの周辺に配置されるもので、温水用樹脂管８がない以外は温水マットＭと同じ構造に構成されている。
【図面の簡単な説明】
【図１】床暖房構造を示す分解斜視図
【図２】床暖房構造を示す要部の斜視図
【図３】床暖房構造を示す断面図
【図４】周辺マットとガス管を示す斜視図
【図５】周辺マットとガス管を示す斜視図
【図６】別の実施形態による床暖房構造を示す断面図
【符号の説明】
１        床下地
９        ガス給湯機
１２      防護部材
１８      配管用ケース
Ｄ        周辺マット
Ｍ        温水マット
Ｐ        ガス給湯機用のガス管
Ｐ１ 一方の壁内のガス管
Ｒ        室
Ｗ１ 一方の壁
Ｗ２ 他方の壁
【図１】
0003935766.tif 000002
【図２】
0003935766.tif 000003
【図３】
0003935766.tif 000004
【図４】
0003935766.tif 000005
【図５】
0003935766.tif 000006
【図６】
0003935766.tif 000007